(57)【要約】      （修正有）【課題】複数台の室内ユニットを接続する３本のユニット間配管を変更することなく、簡単な構成で圧縮機の吸込圧力の低下を抑制できる空気調和装置を提供する。【解決手段】第１圧縮機２０等や高圧ガス管７、低圧ガス管６、液管８からなる３本のユニット間配管５に接続される３本配管式の第１室外ユニット２と、複数台の室内ユニット４Ａ〜４Ｄと、第２圧縮機３０等やガス管３５及び液管３６の２本の配管で接続する第２室外ユニット３において、液管３６を液管８に接続し、ガス管３５を高圧ガス管７または低圧ガス管６に択一的に接続する第３四方弁５１と、第１圧縮機２０の冷媒吐出管２５と高圧ガス管７とを連通可能とする第１四方弁６０を備え、すべての室内ユニット４Ａ〜４Ｄを同時に冷房運転する場合に、第１四方弁６０が冷媒吐出管２５と高圧ガス管７との連通を遮断するとともに、第３四方弁５１がガス管３５を高圧ガス管７に接続するように切り替える。【選択図】図１
2011047620.tif 000002
【特許請求の範囲】
【請求項１】
第１圧縮機、第１室外熱交換器及び第１室外膨張弁を備えた第１室外ユニットと、室内熱交換器を備えた複数台の室内ユニットとがユニット間配管により接続され、前記第１室外熱交換器の一端が、第１圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記第１室外熱交換器の他端に接続された液管とを有して構成され、室内熱交換器の一端が前記高圧ガス管と前記低圧ガス管とに択一に分岐して接続され、室内熱交換器の他端が前記液管に液分岐管を介して接続され、複数台の前記室内ユニットを同時に冷房運転若しくは暖房運転可能とし、または、これらの冷房運転と暖房運転を混在して実施可能とするよう構成された空気調和装置において、
第２圧縮機、第２室外熱交換器及び第２室外膨張弁を備えた、ガス管及び液管の２本の配管で接続する第２室外ユニットと、この第２室外ユニットの液管を前記ユニット間配管の液管に接続すると共に、前記第２室外ユニットのガス管を前記ユニット間配管の高圧ガス管または低圧ガス管に択一的に接続する流路切替弁を有する弁体キットとを備え、
前記第１室外ユニットは、前記冷媒吐出管と前記高圧ガス管とを連通可能とする弁体を備え、
前記室内ユニットを同時に冷房運転する場合に、前記弁体が前記冷媒吐出管と前記高圧ガス管との連通を遮断するとともに、前記流路切換弁が前記ガス管を前記高圧ガス管に接続するように切り替えられることを特徴とする空気調和装置。
【請求項２】
前記弁体は、４つのポートを有する単一の第１四方弁であり、この第１四方弁の第１ポートに前記冷媒吐出管を接続し、第２ポートに前記高圧ガス管を接続し、第３ポートを閉塞する、もしくは、この第３ポートに、キャピラリチューブを介して、前記低圧ガス管を接続し、第４ポートを閉塞する、もしくは、この第４ポートに、キャピラリチューブを介して、前記低圧ガス管を接続したことを特徴とする請求項１に記載の空気調和装置。
【請求項３】
前記第１室外ユニットは、第１圧縮機と第１室外熱交換器との間に第２四方弁を備え、この第２四方弁及び前記第１圧縮機の間から分岐した冷媒吐出分岐管に前記弁体を介して前記高圧ガス管を接続し、当該第２四方弁及び前記第１圧縮機の間から分岐した冷媒吸込分岐管に前記低圧ガス管を接続し、
前記第２四方弁は、第１切替位置で前記低圧ガス管と前記第１室外熱交換器とを連通し、第２切替位置で前記第１圧縮機と前記第１室外熱交換器とを連通することを特徴とする請求項１または２に記載の空気調和装置。
【請求項４】
前記弁体キットは、前記流路切替弁として単一の第３四方弁を備え、この第３四方弁の第１ポートに前記ガス管を接続し、第２ポートに前記低圧ガス管を接続し、第３ポートに前記高圧ガス管を接続し、第４ポートを閉塞する、もしくは、この、第４ポートに、キャピラリチューブを介して、前記低圧ガス管を接続したことを特徴とする請求項１乃至３のいずれかに記載の空気調和装置。
【請求項５】
前記弁体キットは、前記第２室外ユニットの筺体の外側に設けられたことを特徴とする請求項１乃至４のいずれかに記載の空気調和装置。
【請求項６】
前記第１圧縮機の能力は、空気調和装置が備える全圧縮機の少なくとも半分の能力を備えて構成されていることを特徴とする請求項１乃至５のいずれかに記載の空気調和装置。
【発明の詳細な説明】
【技術分野】
【０００１】
本発明は、室外ユニットと複数台の室内ユニットとを有し、複数台の室内ユニットを同時に冷房運転もしくは暖房運転可能とし、または、これらの暖房運転と冷房運転を混在して実施可能とする空気調和装置に関する。
【背景技術】
【０００２】
一般に、室外ユニットと複数台の室内ユニットとを、液管及びガス管からなる２本のユニット間配管を介して接続し、これら複数台の室内ユニットを冷房運転もしくは暖房運転する、液管及びガス管接続式（以下、２本配管式という）の空気調和装置が知られている。また、近年、室外ユニットと複数台の室内ユニットとを、低圧ガス管、高圧ガス管及び液管からなる３本のユニット間配管を介して接続し、これら複数台の室内ユニットを同時に冷房運転もしくは暖房運転する、または、これらの冷房運転と暖房運転とを混在して実施する、低圧ガス管、高圧ガス管及び液管接続式（以下、３本配管式という）の空気調和装置が提案されている（特許文献１参照）。
【先行技術文献】
【特許文献】
【０００３】
【特許文献１】特許２８０４５２７号公報
【発明の概要】
【発明が解決しようとする課題】
【０００４】
ところで、この種の３本配管式の空気調和装置では、複数台の室内ユニットを、冷房運転と暖房運転とを混在して実施する場合には、３本のユニット間配管をすべて使用して運転するのに対して、冷房運転もしくは暖房運転を実施する場合には、３本のユニット間配管のうちの２本（冷房運転時には液管と低圧ガス管、暖房運転時には液管と高圧ガス管）が使用される。
ここで、冷房運転時には、室内ユニットの室内熱交換器で蒸発した低圧のガス冷媒は、すべて低圧ガス管を流れて室外ユニットの圧縮機に吸い込まれるため、この低圧ガス管の流路抵抗により圧力損失が生じやすい。圧力損失が生じた場合には、圧縮機の吸込圧力が低下して比体積が大きくなるため、圧縮機の能力が低下し、ひいては、空気調和装置の冷房能力が低下するといった問題があった。これに対して、低圧ガス管の管径を大きく変更すれば、圧力損失が低減されるため、圧縮機の吸込圧力の低下が抑制されるものの多大なコストがかかることになる。
そこで、本発明は、上述した課題を解決し、３本のユニット間配管を変更することなく、簡単な構成で圧縮機の吸込圧力の低下を抑制できる空気調和装置を提供することを目的とする。
【課題を解決するための手段】
【０００５】
上記目的を達成するために、本発明は、第１圧縮機、第１室外熱交換器及び第１室外膨張弁を備えた第１室外ユニットと、室内熱交換器を備えた複数台の室内ユニットとがユニット間配管により接続され、前記第１室外熱交換器の一端が、第１圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記第１室外熱交換器の他端に接続された液管とを有して構成され、室内熱交換器の一端が前記高圧ガス管と前記低圧ガス管とに択一に分岐して接続され、室内熱交換器の他端が前記液管に液分岐管を介して接続され、複数台の前記室内ユニットを同時に冷房運転若しくは暖房運転可能とし、または、これらの冷房運転と暖房運転を混在して実施可能とするよう構成された空気調和装置において、第２圧縮機、第２室外熱交換器及び第２室外膨張弁を備えた、ガス管及び液管の２本の配管で接続する第２室外ユニットと、この第２室外ユニットの液管を前記ユニット間配管の液管に接続すると共に、前記第２室外ユニットのガス管を前記ユニット間配管の高圧ガス管または低圧ガス管に択一的に接続する流路切替弁を有する弁体キットとを備え、前記第１室外ユニットは、前記冷媒吐出管と前記高圧ガス管とを連通可能とする弁体を備え、前記室内ユニットを同時に冷房運転する場合に、前記弁体が前記冷媒吐出管と前記高圧ガス管との連通を遮断するとともに、前記流路切換弁が前記ガス管を前記高圧ガス管に接続するように切り替えられることを特徴とする。
【０００６】
この構成において、前記弁体は、４つのポートを有する単一の第１四方弁であり、この第１四方弁の第１ポートに前記冷媒吐出管を接続し、第２ポートに前記高圧ガス管を接続し、第３ポートを閉塞する、もしくは、この第３ポートに、キャピラリチューブを介して、前記低圧ガス管を接続し、第４ポートを閉塞する、もしくは、この第４ポートに、キャピラリチューブを介して、前記低圧ガス管を接続した構成としてもよい。
【０００７】
また、前記第１室外ユニットは、第１圧縮機と第１室外熱交換器との間に第２四方弁を備え、この第２四方弁及び前記第１圧縮機の間から分岐した冷媒吐出分岐管に前記弁体を介して前記高圧ガス管を接続し、当該第２四方弁及び前記第１圧縮機の間から分岐した冷媒吸込分岐管に前記低圧ガス管を接続し、前記第２四方弁は、第１切替位置で前記低圧ガス管と前記第１室外熱交換器とを連通し、第２切替位置で前記第１圧縮機と前記第１室外熱交換器とを連通する構成としてもよい。
【０００８】
また、前記弁体キットは、前記流路切替弁として単一の第３四方弁を備え、この第３四方弁の第１ポートに前記ガス管を接続し、第２ポートに前記低圧ガス管を接続し、第３ポートに前記高圧ガス管を接続し、第４ポートを閉塞する、もしくは、この第４ポートに、キャピラリチューブを介して、前記低圧ガス管を接続した構成としてもよい。
【０００９】
また、前記弁体キットは、前記第２室外ユニットの筺体の外側に設けられた構成としてもよい。
【００１０】
また、前記第１圧縮機の能力は、空気調和装置が備える全圧縮機の少なくとも半分の能力を備えて構成してもよい。
【発明の効果】
【００１１】
本発明によれば、室内ユニットを冷房運転する場合に、第１室外ユニットが備える弁体が圧縮機の冷媒吐出管と高圧ガス管との連通を遮断するとともに、第２室外ユニットのガス管と低圧ガス管もしくは高圧ガス管とを択一的に接続する流路切換弁が、当該ガス管を高圧ガス管に接続するように切り替えられるため、第１室外ユニットでは低圧ガス管を通じて、第２室外ユニットでは高圧ガス管を通じて冷媒が各室外ユニットに戻される。このため、これら低圧ガス管及び高圧ガス管の配管径を、各ガス管をそれぞれ流れる冷媒量に対して大きくできるため、低圧ガス管、高圧ガス管での圧力損失を抑制することができ、各室外ユニットの圧縮機の吸込圧力の低下を防止することができ、従って、冷房能力の低下を防止することができる。
【図面の簡単な説明】
【００１２】
【図１】本発明に係る空気調和装置の一実施の形態を示し、この空気調和装置が冷房運転される際の冷媒の流れを示す回路図である。
【図２】空気調和装置が暖房運転される際の冷媒の流れを示す回路図である。
【図３】空気調和装置が冷房主体で冷暖混在運転される際の冷媒の流れを示す回路図である。
【図４】空気調和装置が暖房主体で冷暖混在運転される際の冷媒の流れを示す回路図である。
【発明を実施するための形態】
【００１３】
以下、図面を参照して本発明の一実施の形態について説明する。
図１は、本発明に係る空気調和装置の一実施の形態を示す回路図である。この空気調和装置１は、３本配管式の室外ユニットである第１室外ユニット２と、２本配管式の室外ユニットである第２室外ユニット３と、複数台（例えば４台）の室内ユニット４Ａ、４Ｂ、４Ｃ、４Ｄとを備える。これら第１室外ユニット２及び第２室外ユニット３と、室内ユニット４Ａ〜４Ｄとを接続するユニット間配管５は、低圧ガス管６と、高圧ガス管７と、液管８とから構成され、空気調和装置１は、室内ユニット４Ａ〜４Ｄを同時に冷房運転、もしくは、暖房運転可能とし、または、これらの冷房運転と暖房運転とを混在して実施可能としている。
【００１４】
室内ユニット４Ａは、室内熱交換器１０Ａと室内膨張弁１１Ａとを備えて構成され、この室内熱交換器１０Ａの一端は、室内膨張弁１１Ａを設けた液分岐管１８Ａを介して液管８に接続される。また、室内熱交換器１０Ａの他端には、分岐管１２Ａが接続され、この分岐管１２Ａは、高圧ガス分岐管１３Ａと低圧ガス分岐管１４Ａとに分岐する。高圧ガス分岐管１３Ａは第１開閉弁１５Ａを介して高圧ガス管７に接続され、低圧ガス分岐管１４Ａは第２開閉弁１６Ａを介して低圧ガス管６に接続される。
【００１５】
また、室内ユニット４Ａには、室内熱交換器１０Ａの出入口温度や室温を検出する温度センサー（図示略）と、室内熱交換器１０Ａ内の冷媒圧力を検出する圧力センサー（図示略）等が配置される他、これら各センサーの検出結果を入力してこの室内ユニット４Ａの制御を行う室内制御装置（図示略）を備えている。なお、室内ユニット４Ｂ〜４Ｄは、室内ユニット４Ａと略同一の構成であるため、同一の部分に同様の符号を付して示し、説明は省略する。
【００１６】
第１室外ユニット２は、能力可変型の第１圧縮機（ＤＣインバータ圧縮機）２０と、この第１圧縮機２０の吐出側に並列に接続された第１四方弁（弁体）６０及び第２四方弁２４と、この第２四方弁２４に接続された複数台（本実施形態では２台）の第１室外熱交換器２１、２１と、第１膨張弁（第１室外膨張弁）２２、２２と、これらを収容する第１ユニットケース（筺体）２３とを備えて構成される。
この第１ユニットケース２３には、第１ユニットケース２３内の各機器とユニット間配管５の低圧ガス管６、高圧ガス管７及び液管８とがそれぞれ接続される低圧ガス管サービスバルブ２３Ａ、高圧ガス管サービスバルブ２３Ｂ及び第１液管サービスバルブ２３Ｃが設けられている。
本構成では、第１圧縮機２０の能力は、空気調和装置１が備える全圧縮機の少なくとも半分の能力を備えて構成される。これによれば、例えば、冷房負荷と暖房負荷とが５０％：５０％の負荷バランスで冷暖混在運転が実行されている場合には、第１圧縮機２０を備える第１室外ユニット２のみを用いて、各室内ユニット４Ａ〜４Ｄの冷房及び暖房運転を行うことができる。また、冷房負荷または暖房負荷が増加して、例えば、冷房負荷と暖房負荷とが６０％：４０％に負荷バランスが変更された場合には、余剰の冷房負荷を第２室外ユニット３が受け持つことができる。このため、冷暖混在運転中の室内ユニット４Ａ〜４Ｄの冷房負荷及び暖房負荷の負荷バランスがどのように変化しても当該負荷バランスでの空調運転を実現することができる。
第２四方弁２４は、４つのポートを備えており、第１ポートαには第１圧縮機２０の冷媒吐出管２５が接続されている。この冷媒吐出管２５には、第１圧縮機２０と第２四方弁２４との間で分岐する冷媒吐出分岐管２５Ａの一端が接続され、この冷媒吐出分岐管２５Ａの他端は第１四方弁６０に接続されている。なお、符号４５は逆止弁である。
【００１７】
また、第２四方弁２４の第２ポートβにはユニット内ガス管２６が接続され、このユニット内ガス管２６は２つのユニット内分岐ガス管２６Ａ、２６Ａに分岐してそれぞれ第１室外熱交換器２１、２１の一端側に接続される。本構成では、一方の第１室外熱交換器２１に接続されるユニット内分岐ガス管２６Ａには電磁開閉弁（開閉弁）２７が設けられ、第１室外熱交換器２１、２１に冷媒を選択的に流通させることが可能に構成されている。
第１室外熱交換器２１、２１の他端には、それぞれユニット内分岐液管２９Ａ、２９Ａが接続され、これらユニット内分岐液管２９Ａ、２９Ａは合流して第１ユニット内液管（液管）２９となり、第１液管サービスバルブ２３Ｃを介して、ユニット間配管５の液管８に接続されている。また、ユニット内分岐液管２９Ａ、２９Ａにはそれぞれ上記した第１膨張弁２２、２２が設けられている。
【００１８】
また、第２四方弁２４の第３ポートγには、第１圧縮機２０の冷媒吸込管２８が接続される。この冷媒吸込管２８には、第１圧縮機２０と第２四方弁２４との間で分岐する冷媒吸込分岐管２８Ａの一端が接続され、冷媒吸込分岐管２８Ａの他端は低圧ガス管サービスバルブ２３Ａを介して、低圧ガス管６に接続されている。
また、第２四方弁２４の第４ポートδにはキャピラリチューブ４６が接続され、このキャピラリチューブ４６の他端は冷媒吸込管２８に接続されている。ここで、第１室外ユニット２が停止した場合に、この第１室外ユニット２内の冷媒配管（冷媒吸込管２８及びユニット内ガス管２６）内の冷媒の流れが止まることがある。このため、これら冷媒配管内への冷媒の溜まり込みを防止するために、第４ポートδには、キャピラリチューブ４６を介して、冷媒吸込管２８を接続している。なお、第４ポートδに、キャピラリチューブ４６を介して、冷媒吸込管２８を接続せずに、単に第４ポートδを封止栓等で閉鎖しても良い。
【００１９】
また、第１四方弁６０は、第２四方弁２４と同様に、４つのポートを有し、第１ポートＰには上記冷媒吐出分岐管２５Ａの他端が接続されている。また、第１四方弁６０の第２ポートＱには、ユニット内高圧ガス管６１の一端が接続され、このユニット内高圧ガス管６１の他端は高圧ガス管サービスバルブ２３Ｂを介して高圧ガス管７に接続されている。
第１四方弁６０の第３ポートＲ及び第４ポートＳには、それぞれキャピラリチューブ６２、６３が接続され、これらキャピラリチューブ６２、６３の他端は冷媒吸込分岐管２８Ａに接続されている。なお、第３ポートＲ及び第４ポートＳを単に封止栓等で閉鎖しても良い。
【００２０】
本構成では、第１室外ユニット２は、いわゆる２本配管式の室外ユニットの配管構成を変更して３本のユニット間配管５に接続可能としたものである。
具体的には、第１ユニットケース２３に高圧ガス管サービスバルブ２３Ｂを設けるとともに、第１四方弁６０を設け、高圧ガス管サービスバルブ２３Ｂと第１四方弁６０の第２ポートＱとをユニット内高圧ガス管６１で接続し、第１四方弁６０の第１ポートＰと冷媒吐出管２５とを冷媒吐出分岐管２５Ａで接続する。また、第１四方弁６０の第３ポートＲ及び第４ポートＳを、それぞれキャピラリチューブ６２、６３を介して冷媒吸込分岐管２８Ａに接続する。
また、２本配管式の室外ユニットにおいて、ガス管サービスバルブ（本構成では、低圧ガス管サービスバルブ２３Ａに該当する）と四方弁（本構成では第２四方弁２４の第４ポートδに該当する）とを接続する配管を取り外し、低圧ガス管サービスバルブ２３Ａと冷媒吸込管２８とを冷媒吸込分岐管２８Ａを介して接続するとともに、第２四方弁２４の第４ポートδをキャピラリチューブ４６を介して、冷媒吸込管２８に接続する。
このように、既存の２本配管式の室外ユニットに第１四方弁６０を設けるとともに配管構成を一部変更することにより、３本のユニット間配管５に接続可能な第１室外ユニット２を簡単に構成することができるため、３本配管式の室外ユニットを独自に開発する場合に比べて、開発期間の短縮及び製造ラインの共通化を図ることができ、生産コストの低減化を図ることができる。また、いわゆる２本配管式の室外ユニットをベースとして、第１室外ユニットが構成されるため、この第１室外ユニット２は、従来の３本配管式の室外ユニットに比べて、配管構成が簡素化される分、装置自体のコンパクト化の実現を図ることができる。
【００２１】
また、第１室外ユニット２には、第１圧縮機２０の吸込圧力、吐出圧力や各第１室外熱交換器２１、２１内の冷媒圧力を、それぞれ検出する各圧力センサー（図示略）と、各第１室外熱交換器２１、２１の出入口温度や外気温を検出する温度センサー（図示略）等が配置される他、これら各センサーの検出結果を入力して第１室外ユニット２の制御を行う第１室外制御装置（図示略）を備えている。
【００２２】
第２室外ユニット３は、能力可変型の第２圧縮機（ＤＣインバータ圧縮機）３０と、四方弁３１と、第２室外熱交換器３２と、第２膨張弁（第２室外膨張弁）３３と、これらを収容する第２ユニットケース３４とを備え、この第２ユニットケース３４には、第２ユニットケース３４内の機器と、ガス管３５及び液管３６の２本の配管とがそれぞれ接続されるガス管サービスバルブ３４Ａ、第２液管サービスバルブ３４Ｂが設けられている。
第２室外ユニット３は、四方弁３１の切替により冷房運転もしくは暖房運転を行うことができる既存の２本配管式（２ウェイ）の室外ユニットである。
第２圧縮機３０の冷媒吐出管３７は、逆止弁３８を介して、四方弁３１に接続され、この四方弁３１にはユニット内ガス管３９を介して第２室外熱交換器３２の一端に接続されている。この第２室外熱交換器３２の他端には、第２ユニット内液管４０が接続され、この第２ユニット内液管４０は、第２膨張弁３３を介して第２液管サービスバルブ３４Ｂに接続されている。この第２液管サービスバルブ３４Ｂには液管３６が接続される。
一方、第２圧縮機３０の冷媒吸込管４１は、四方弁３１に接続され、この四方弁３１にはユニット内ガス管４２を介してガス管サービスバルブ３４Ａが接続されている。このガス管サービスバルブ３４Ａにはガス管３５が接続される。
【００２３】
また、第２室外ユニット３には、第２圧縮機３０の吸込圧力、吐出圧力や第２室外熱交換器３２内の冷媒圧力を、それぞれ検出する各圧力センサー（図示略）と、第２室外熱交換器３２の出入口温度や外気温を検出する温度センサー（図示略）等が配置される他、これら各センサーの検出結果を入力して第２室外ユニット３の制御を行う第２室外制御装置（図示略）を備えている。
本実施形態では、第１室外ユニット２が親機として機能し、この第１室外ユニット２の第１室外制御装置は、図示を省略したリモートコントローラーを介して入力したユーザー指示に基づいて、第２室外制御装置や各室内制御装置と通信し、この空気調和装置１全体の運転制御を行う。
【００２４】
ところで、第２室外ユニット３は、第２ユニットケース３４から延びるガス管３５及び液管３６の２本の配管を備えるため、このままでは２本の配管を３本のユニット間配管５に接続することができない。このため、本構成では、空気調和装置１は、第２室外ユニット３から延びるガス管３５をユニット間配管５の高圧ガス管７または低圧ガス管６に択一的に接続する弁体キット５０を備える。この弁体キット５０は、流路切換弁としての単一の第３四方弁５１と、この第３四方弁５１を収容するケース体５２とを備え、このケース体５２に、上記したガス管３５、高圧ガス管７及び低圧ガス管６がそれぞれ接続される接続口が形成されている。また、第２ユニットケース３４から延びる液管３６は、ユニット間配管５の液管８に接続されている。
弁体キット５０は、既存の２本配管式の室外ユニットである第２室外ユニット３を、ユニット間配管５に接続するための専用キットであり、１台の第２室外ユニット３につき１台の弁体キット５０が設けられている。これによれば、弁体キット５０を用いることにより、既存の２本配管式の第２室外ユニット３をユニット間配管５に接続することができるため、３本配管式の空気調和装置１に接続される一部の室外ユニットを、配管構成が煩雑で高価な３本配管式の室外ユニットに代えて、安価な既存の２本配管式の室外ユニットを採用することができ、空気調和装置１全体の価格を低減することができる。
また、弁体キット５０は、第２室外ユニット３の第２ユニットケース３４の外側に配置されている。これによれば、既存の２本配管式の第２室外ユニット３を、配管構成を変更することなく、そのまま３本配管式の空気調和装置１に用いることができるため、空気調和装置１の構成を簡素化することができる。
【００２５】
弁体キット５０の第３四方弁５１には、４つのポートＡ〜Ｄが設けられており、第１ポートＡにはガス管３５が接続され、第２ポートＢには低圧ガス管６が接続され、第３ポートＣに高圧ガス管７が接続され、第４ポートＤにはキャピラリチューブ５３が接続され、このキャピラリチューブ５３の他端は低圧ガス管６に接続されている。なお、第４ポートＤに、キャピラリチューブ５３を介して、低圧ガス管６を接続せずに、単に第４ポートＤを封止栓等で閉鎖しても良い。
弁体キット５０の第３四方弁５１は、第２室外ユニット３の第２室外制御装置によって動作が制御される。
【００２６】
つぎに、この空気調和装置１の運転動作を説明する。
すべての室内ユニット４Ａ〜４Ｄを同時に冷房運転する場合、低圧ガス管６、高圧ガス管７及び液管８がすべて使用される。この場合、図１に示すように、第１室外ユニット２では、第２四方弁２４が第１圧縮機２０の吐出冷媒を第１室外熱交換器２１、２１に導く位置（第２切替位置）、すなわち、第２四方弁２４の第１ポートαと第２ポートβ及び第３ポートγと第４ポートδとがそれぞれ連通する位置に切り替えられるとともに、電磁開閉弁２７、第１膨張弁２２、２２が開放される。また、第１四方弁６０が第１圧縮機２０の冷媒吐出管２５と高圧ガス管７との連通を遮断する位置、すなわち、第１四方弁６０の第１ポートＰと第４ポートＳ及び第２ポートＱと第３ポートＲとをそれぞれ連通する位置に切り替えられる。
また、第２室外ユニット３では、四方弁３１が第２圧縮機３０の吐出冷媒を第２室外熱交換器３２に導く冷房運転の位置に切り替えられる。また、室内ユニット４Ａ、４Ｂでは、第１開閉弁１５Ａ、１５Ｂが閉じられ、第２開閉弁１６Ａ、１６Ｂが開かれ、室内ユニット４Ｃ、４Ｄでは、第１開閉弁１５Ｃ、１５Ｄが開かれ、第２開閉弁１６Ｃ、１６Ｄが閉じられる。弁体キット５０では、第３四方弁５１が第１ポートＡと第３ポートＣ及び第２ポートＢと第４ポートＤとをそれぞれ連通する位置に切り替えられる。
【００２７】
これにより、第１圧縮機２０から吐出された冷媒は、冷媒吐出管２５、第２四方弁２４、ユニット内ガス管２６、第１室外熱交換器２１、２１へと順次流れ、この第１室外熱交換器２１、２１で凝縮液化した後、第１ユニット内液管２９を通じて、ユニット間配管５の液管８に流れ込む。一方、第２圧縮機３０から吐出された冷媒は、冷媒吐出管３７、四方弁３１、第２室外熱交換器３２へと順次流れ、この第２室外熱交換器３２で凝縮液化した後、液管３６を通じて、ユニット間配管５の液管８に流れ込み、この液管８内で第１室外ユニット２から流出された冷媒と合流する。
液管８を流れる液冷媒は、各室内ユニット４Ａ〜４Ｄの室内膨張弁１１Ａ〜１１Ｄに分配され、ここで減圧される。そして、減圧された冷媒は、各室内熱交換器１０Ａ〜１０Ｄで蒸発気化することにより、全室内ユニット４Ａ〜４Ｄが同時に冷房される。
室内ユニット４Ａ、４Ｂの室内熱交換器１０Ａ、１０Ｂで蒸発気化した冷媒は、それぞれ第２開閉弁１６Ａ、１６Ｂ、低圧ガス分岐管１４Ａ、１４Ｂを通じて低圧ガス管６に流入する。この低圧ガス管６を流れる冷媒は、第１室外ユニット２に流入し、冷媒吸込分岐管２８Ａ及び冷媒吸込管２８を通じて第１圧縮機２０に吸入される。
これに対して、室内ユニット４Ｃ、４Ｄの室内熱交換器１０Ｃ、１０Ｄで蒸発気化した冷媒は、それぞれ第１開閉弁１５Ｃ、１５Ｄ、低圧ガス分岐管１４Ｃ、１４Ｄを通じて高圧ガス管７に流入する。この高圧ガス管７を流れる冷媒は、弁体キット５０の第３四方弁５１、ガス管３５を通じて、第２室外ユニット３に流入し、四方弁３１、冷媒吸込管４１を通じて第２圧縮機３０に吸入される。
【００２８】
このように、本構成では、第１室外ユニット２の第１四方弁６０と、弁体キット５０の第３四方弁５１を切り替えることにより、第１室外ユニット２には、低圧ガス管６を通じて冷媒が戻され、第２室外ユニット３には、高圧ガス管７を通じて冷媒を戻すことができる。これによれば、室外ユニットごとに冷媒の戻し配管を別個に設けることができるため、低圧ガス管６及び高圧ガス管７を流れる冷媒流量に対して、これら低圧ガス管６及び高圧ガス管７の管径を相対的に太くすることができ、当該低圧ガス管６及び高圧ガス管７での冷媒の圧力損失を抑制することができる。
このため、すべての室内ユニット４Ａ〜４Ｄを冷房運転する場合に、低圧ガス管６及び高圧ガス管７での冷媒の圧力損失が抑制されることにより、第１室外ユニット２及び第２室外ユニット３における第１圧縮機２０及び第２圧縮機３０の吸込圧力の低下を防止することができ、従って、冷房能力の低下を防止することができる。
この場合、第１室外ユニット２の第１圧縮機２０の能力は、空気調和装置１が備える全圧縮機の少なくとも半分の能力を備える、ずなわち、第２室外ユニット３の第２圧縮機３０の能力と同等もしくはそれ以上に設定されているため、第１圧縮機２０から吐出される冷媒量は第２圧縮機３０から吐出される冷媒量よりも多い。このため、第１圧縮機２０には、高圧ガス管７よりも管径が太く形成された低圧ガス管６を接続することが望ましい。
【００２９】
また、本構成では、各室内ユニット４Ａ〜４Ｄは、第１開閉弁１５Ａ〜１５Ｄ、第２開閉弁１６Ａ〜１６Ｄを適宜切り替えることにより、各室内熱交換器１０Ａ〜１０Ｄで蒸発した冷媒が流入する配管を低圧ガス管６もしくは高圧ガス管７に選択することができる。これによれば、室内ユニット４Ａ〜４Ｄに対応して冷房運転を実施する室外ユニットを選択することができる。このため、室外ユニットに応じて、室内ユニット４Ａ〜４Ｄの蒸発温度を異ならせることができるため、例えば、負荷の少ない室内ユニットの蒸発温度を上げることにより、これら室内ユニットに接続される室外ユニットの運転効率を高めることができる。
【００３０】
すべての室内ユニット４Ａ〜４Ｄを同時に暖房運転する場合、低圧ガス管６が休止状態におかれる。この場合、図２に示すように、第１室外ユニット２では、第２四方弁２４が第１室外熱交換器２１、２１と冷媒吸込管２８とを連通する位置（第１切替位置）、すなわち、第２四方弁２４の第１ポートαと第４ポートδ及び第２ポートβと第３ポートγとがそれぞれ連通する位置に切り替えられるとともに、電磁開閉弁２７が開放され、第１膨張弁２２、２２は空調負荷に応じて開度が調整される。また、第１四方弁６０が第１圧縮機２０の冷媒吐出管２５と高圧ガス管７と連通する位置、すなわち、第１四方弁６０の第１ポートＰと第２ポートＱ及び第３ポートＲと第４ポートＳとをそれぞれ連通する位置に切り替えられる。
また、第２室外ユニット３では、四方弁３１が第２圧縮機３０の吐出冷媒をガス管３５に導く暖房運転の位置に切り替えられる。また、すべての室内ユニット４Ａ〜４Ｄでは、第１開閉弁１５Ａ〜１５Ｄが開かれ、第２開閉弁１６Ａ〜１６Ｄが閉じられる。また、弁体キット５０では、第３四方弁５１が第１ポートＡと第３ポートＣ及び第２ポートＢと第４ポートＤとをそれぞれ連通する位置に切り替えられる。
これにより、第１圧縮機２０から吐出された冷媒は、冷媒吐出管２５、冷媒吐出分岐管２５Ａ、第１四方弁６０及びユニット内高圧ガス管６１を通じてユニット間配管５の高圧ガス管７に流れ込む。一方、第２圧縮機３０から吐出された冷媒は、冷媒吐出管３７、四方弁３１、ユニット内ガス管４２、ガス管３５、及び弁体キット５０の第３四方弁５１を通じてユニット間配管５の高圧ガス管７に流れ込み、この高圧ガス管７内で第１室外ユニット２から流出された冷媒と合流する。
高圧ガス管７を流れるガス冷媒は、各室内ユニット４Ａ〜４Ｄの高圧ガス分岐管１３Ａ〜１３Ｄに分配された後、第１開閉弁１５Ａ〜１５Ｄ、室内熱交換器１０Ａ〜１０Ｄへと流れ、ここでそれぞれ凝縮液化される。この液化した液冷媒は、液分岐管１８Ａ〜１８Ｄを経て液管８に流入し、この液管８で２つに分配される。
一方の冷媒は、第１室外ユニット２に流入し、各第１膨張弁２２、２２へ分配され、ここで減圧される。そして、減圧された冷媒は、各第１室外熱交換器２１、２１で蒸発気化した後、ユニット内ガス管２６で合流し、第２四方弁２４、冷媒吸込管２８を通じて第１圧縮機２０に吸入される。また、他方の冷媒は、液管３６を通じて、第２室外ユニット３に流入し、第２膨張弁３３で減圧される。そして、減圧された冷媒は、第２室外熱交換器３２で蒸発気化した後、四方弁３１、冷媒吸込管４１を通じて第２圧縮機３０に吸入される。このように、凝縮器として作用する各室内熱交換器１０Ａ〜１０Ｄで全室内ユニット４Ａ〜４Ｄが同時に暖房される。
【００３１】
室内ユニット４Ａ〜４Ｄを冷房主体で冷暖混在運転をする場合、例えば、室内ユニット４Ａ〜４Ｃを冷房運転、室内ユニット４Ｄを暖房運転する場合には、低圧ガス管６、高圧ガス管７及び液管８がすべて使用される。
この場合、図３に示すように、第１室外ユニット２では、第２四方弁２４が第１切替位置に切り替えられるとともに、第１四方弁６０が第１圧縮機２０の冷媒吐出管２５と高圧ガス管７と連通する位置、すなわち、第１四方弁６０の第１ポートＰと第２ポートＱ及び第３ポートＲと第４ポートＳとをそれぞれ連通する位置に切り替えられる。
また、第１膨張弁２２、２２がともに閉じられ、第１室外熱交換器２１、２１には冷媒が流れない。これは、室内ユニット４Ｄでの暖房負荷に釣り合う室内ユニット４Ａ〜４Ｃでの冷房負荷を、第１室外ユニット２が受け持ち、余剰の冷房負荷を第２室外ユニット３が受け持つことで冷凍サイクルが形成されるためである。
また、第２室外ユニット３では、四方弁３１が第２圧縮機３０の吐出冷媒を第２室外熱交換器３２に導く冷房運転の位置に切り替えられる。また、室内ユニット４Ａ〜４Ｃでは、第１開閉弁１５Ａ〜１５Ｃが閉じられ、第２開閉弁１６Ａ〜１６Ｃが開かれ、かつ、室内ユニット４Ｄでは、第１開閉弁１５Ｄが開かれ、第２開閉弁１６Ｄが閉じられる。また、弁体キット５０では、第３四方弁５１が第１ポートＡと第２ポートＢ及び第３ポートＣと第４ポートＤとがそれぞれ連通する位置に切り替えられる。
【００３２】
これにより、第１圧縮機２０から吐出された冷媒は、冷媒吐出管２５、冷媒吐出分岐管２５Ａ、第１四方弁６０、ユニット内高圧ガス管６１及び高圧ガス管７を通じて、室内ユニット４Ｄに流れ込む。この室内ユニット４Ｄに流入した冷媒は、高圧ガス分岐管１３Ｄ、第１開閉弁１５Ｄを通じて室内熱交換器１０Ｄへと流れ、ここで凝縮液化された後、液分岐管１８Ｄを経て液管８に流入する。
一方、第２圧縮機３０から吐出された冷媒は、冷媒吐出管３７、四方弁３１、第２室外熱交換器３２へと順次流れ、この第２室外熱交換器３２で凝縮液化した後、液管３６を通じて、ユニット間配管５の液管８に流れ込み、この液管８内で第１室外ユニット２から流出された冷媒と合流する。
液管８を流れる液冷媒は、各室内ユニット４Ａ〜４Ｃの室内膨張弁１１Ａ〜１１Ｃに分配され、ここで減圧される。そして、減圧された冷媒は、各室内熱交換器１０Ａ〜１０Ｃで蒸発気化した後、それぞれ第２開閉弁１６Ａ〜１６Ｃ、低圧ガス分岐管１４Ａ〜１４Ｃを通じて低圧ガス管６に流入し、この低圧ガス管６で２つに分配される。
一方の冷媒は、第１室外ユニット２に流入し、冷媒吸込分岐管２８Ａ、冷媒吸込管２８を通じて第１圧縮機２０に吸入される。また、他方の冷媒は、弁体キット５０の第３四方弁５１、ガス管３５を通じて、第２室外ユニット３に流入し、四方弁３１、冷媒吸込管４１を通じて第２圧縮機３０に吸入される。このように、蒸発器として作用する室内熱交換器１０Ａ〜１０Ｃで室内ユニット４Ａ〜４Ｃがそれぞれ冷房され、凝縮器として作用する他の室内熱交換器１０Ｄで室内ユニット４Ｄが暖房される。
【００３３】
本構成では、第２室外ユニット３が、弁体キット５０を介してユニット間配管５に接続され、第２室外ユニット３の第２室外熱交換器３２で凝縮された冷媒と、室内熱交換器１０Ｄで凝縮された冷媒とが液管８内で合流する。このため、冷暖混在運転をする場合に、凝縮器として作用する室内熱交換器１０Ｄと第２室外熱交換器３２とで、凝縮圧力（凝縮温度）をそれぞれ独自に設定することができるため、例えば、冬季のように外気温度が低い場合には、第２室外熱交換器３２の凝縮圧力を室内熱交換器１０Ｄの凝縮圧力よりも低く抑えることができ、第２圧縮機３０の仕事量（消費電力）の低減を図ることができる。
【００３４】
また、室内ユニット４Ａ〜４Ｃの冷房負荷が増大し、第２室外ユニット３の第２室外熱交換器３２で賄いきれない場合には、第１室外ユニット２では、電磁開閉弁２７が閉じられるとともに、この電磁開閉弁２７が設けられていないユニット内分岐ガス管２６Ａ上の第１膨張弁２２が開放され、第１圧縮機２０から吐出された冷媒の一部を第１室外熱交換器２１に導くことにより、この第１室外熱交換器２１を凝縮器として作用させることができる。
本構成では、第１室外ユニット２は、並設された２つの第１室外熱交換器２１、２１を備え、電磁開閉弁２７を開閉することにより、冷媒を各第１室外熱交換器２１、２１に分配して流すことができるため、冷暖混在運転中の冷房負荷及び暖房負荷の負荷バランスによって、電磁開閉弁２７の動作を制御して空調運転に使用される第１室外熱交換器２１、２１の数を変更できるため、空調運転中の運転効率の向上を図ることができる。
【００３５】
室内ユニット４Ａ〜４Ｄを暖房主体で冷暖混在運転をする場合、例えば、室内ユニット４Ａを冷房運転、室内ユニット４Ｂ〜４Ｄを暖房運転する場合には、低圧ガス管６、高圧ガス管７及び液管８がすべて使用される。
この場合、図４に示すように、第１室外ユニット２では、第２四方弁２４が第１切替位置に切り替えられるとともに、第１膨張弁２２、２２がともに閉じられ、第１室外熱交換器２１、２１には冷媒が流れない。また、第１四方弁６０が第１圧縮機２０の冷媒吐出管２５と高圧ガス管７と連通する位置、すなわち、第１四方弁６０の第１ポートＰと第２ポートＱ及び第３ポートＲと第４ポートＳとをそれぞれ連通する位置に切り替えられる。
また、第２室外ユニット３では、四方弁３１が第２圧縮機３０の吐出冷媒をガス管３５に導く暖房運転の位置に切り替えられる。また、室内ユニット４Ａでは、第１開閉弁１５Ａが閉じられ、第２開閉弁１６Ａが開かれ、かつ、室内ユニット４Ｂ〜４Ｄでは、第１開閉弁１５Ｂ〜１５Ｄが開かれ、第２開閉弁１６Ｂ〜１６Ｄが閉じられる。また、弁体キット５０では、第３四方弁５１が第１ポートＡと第３ポートＣ及び第２ポートＢと第４ポートＤとをそれぞれ連通する位置に切り替えられる。
【００３６】
これにより、第１圧縮機２０から吐出された冷媒は、冷媒吐出管２５、冷媒吐出分岐管２５Ａ、第１四方弁６０及びユニット内高圧ガス管６１を通じてユニット間配管５の高圧ガス管７に流れ込む。一方、第２圧縮機３０から吐出された冷媒は、冷媒吐出管３７、四方弁３１、ユニット内ガス管４２、ガス管３５、及び弁体キット５０の第３四方弁５１を通じてユニット間配管５の高圧ガス管７に流れ込み、この高圧ガス管７内で第１室外ユニット２から流出された冷媒と合流する。
高圧ガス管７を流れるガス冷媒は、各室内ユニット４Ｂ〜４Ｄの高圧ガス分岐管１３Ｂ〜１３Ｄに分配された後、第１開閉弁１５Ｂ〜１５Ｄ、室内熱交換器１０Ｂ〜１０Ｄへと流れ、ここでそれぞれ凝縮液化される。この液化した液冷媒は、液分岐管１８Ｂ〜１８Ｄを経て液管８に流入する。
この液管８に流入した液冷媒の一部は、室内ユニット４Ａに流入し、この室内ユニット４Ａの室内膨張弁１１Ａで減圧され、この減圧された冷媒は、室内熱交換器１０Ａで蒸発気化する。そして、気化したガス冷媒は、第２開閉弁１６Ａ、低圧ガス分岐管１４Ａ、低圧ガス管６を通じて、第１室外ユニット２に流入し、冷媒吸込分岐管２８Ａ、冷媒吸込管２８を通じて第１圧縮機２０に吸入される。
一方、液管８に流入した液冷媒の残りは、液管３６を通じて、第２室外ユニット３に流入し、第２膨張弁３３で減圧される。そして、減圧された冷媒は、第２室外熱交換器３２で蒸発気化した後、四方弁３１、冷媒吸込管４１を通じて第２圧縮機３０に吸入される。このように、蒸発器として作用する室内熱交換器１０Ａで室内ユニット４Ａが冷房され、凝縮器として作用する他の室内熱交換器１０Ｂ〜１０Ｄで室内ユニット４Ｂ〜４Ｄがそれぞれ暖房される。
【００３７】
本構成では、第２室外ユニット３が、弁体キット５０を介してユニット間配管５に接続されているため、各室内ユニット４Ｂ〜４Ｄの各室内熱交換器１０Ｂ〜１０Ｄで凝縮された冷媒の一部を室内ユニット４Ａの室内熱交換器１０Ａに導き、残りを第２室外ユニット３の第２室外熱交換器３２に導くことができる。このため、冷暖混在運転をする場合に、蒸発器として作用する室内熱交換器１０Ａと第２室外熱交換器３２とで蒸発圧力（蒸発温度）をそれぞれ独自に設定することができる。このため、例えば、冬季のように外気温度が低い場合、この外気温度に伴って低下する第２室外熱交換器３２の蒸発温度に比べて、室内熱交換器１０Ｄの蒸発温度を当該第２室外熱交換器３２の蒸発温度よりも高い適切な温度に設定することができる。これにより、従来のように、室内熱交換器１０Ｄの蒸発温度が外気温度の影響を受けて低下することが防止されるため、当該室内熱交換器１０Ｄの凍結を防止するための手段が不要となる。
【００３８】
また、室内ユニット４Ｂ〜４Ｄの暖房負荷が増大し、第２室外ユニット３の第２室外熱交換器３２で賄いきれない場合には、第１室外ユニット２では、電磁開閉弁２７が閉じられるとともに、この電磁開閉弁２７が設けられていないユニット内分岐ガス管２６Ａ上の第１膨張弁２２が開放され、第１圧縮機２０から吐出された冷媒の一部を第１室外熱交換器２１に導くことにより、この第１室外熱交換器２１を蒸発器として作用させることができる。
【００３９】
以上説明したように、本実施形態によれば、第１圧縮機２０、第１室外熱交換器２１及び第１膨張弁２２を備え、高圧ガス管７、低圧ガス管６、液管８からなる３本のユニット間配管５に接続される３本配管式の第１室外ユニット２と、室内熱交換器１０Ａ〜１０Ｄを備えた複数台の室内ユニット４Ａ〜４Ｄとを備え、これら室内ユニット４Ａ〜４Ｄを同時に冷房運転若しくは暖房運転可能とし、または、これらの冷房運転と暖房運転を混在して実施可能とするよう構成された空気調和装置１において、第２圧縮機３０、第２室外熱交換器３２及び第２膨張弁３３を備えた、ガス管３５及び液管３６の２本の配管で接続する第２室外ユニット３と、第２室外ユニット３の液管３６をユニット間配管５の液管８に接続すると共に、第２室外ユニット３のガス管３５をユニット間配管５の高圧ガス管７または低圧ガス管６に択一的に接続する第３四方弁５１を有する弁体キット５０とを備え、第１室外ユニット２は、第１圧縮機２０の冷媒吐出管２５と高圧ガス管７とを連通可能とする第１四方弁６０を備え、すべての室内ユニット４Ａ〜４Ｄを同時に冷房運転する場合に、第１四方弁６０が冷媒吐出管２５と高圧ガス管７との連通を遮断するとともに、第３四方弁５１がガス管３５を高圧ガス管７に接続するように切り替えられる。
このため、第１室外ユニット２の第１四方弁６０と、弁体キット５０の第３四方弁５１とをそれぞれ切り替えることにより、第１室外ユニット２には、低圧ガス管６を通じて冷媒が戻され、第２室外ユニット３には、高圧ガス管７を通じて冷媒を戻すことができる。これによれば、室外ユニットごとに冷媒の戻し配管を別個に設けることができるため、低圧ガス管６及び高圧ガス管７を流れる冷媒流量に対して、これら低圧ガス管６及び高圧ガス管７の管径を相対的に太くすることができ、当該低圧ガス管６及び高圧ガス管７での冷媒の圧力損失を抑制することができる。このため、すべての室内ユニット４Ａ〜４Ｄを冷房運転する場合に、第１室外ユニット２及び第２室外ユニット３における第１圧縮機２０及び第２圧縮機３０の吸込圧力の低下を防止することができ、従って、冷房能力の低下を防止することができる。
また、各室内ユニット４Ａ〜４Ｄでは、第１開閉弁１５Ａ〜１５Ｄ、第２開閉弁１６Ａ〜１６Ｄを適宜切り替えることにより、各室内熱交換器１０Ａ〜１０Ｄで蒸発した冷媒が流入する配管を低圧ガス管６もしくは高圧ガス管７に選択することができ、室内ユニット４Ａ〜４Ｄに対応して冷房運転を実施する室外ユニットを選択することができる。このため、室外ユニットに応じて、室内ユニット４Ａ〜４Ｄの蒸発温度を異ならせることができるため、例えば、負荷の少ない室内機の蒸発温度をあげることにより、これら室内ユニットに接続される室外ユニットの運転効率を高めることができる。
【００４０】
また、本実施形態によれば、第１四方弁６０は、第１ポートＰに冷媒吐出管２５から分岐した冷媒吐出分岐管２５Ａを接続し、第２ポートＱにユニット内高圧ガス管６１を介して、高圧ガス管７を接続し、第３ポートＲ及び第４ポートＳに、それぞれキャピラリチューブ６２、６３を介して、低圧ガス管６に連なる冷媒吸込分岐管２８Ａを接続したため、第１四方弁６０を介在させるといった簡単な構成で安価に、冷媒吐出管２５と高圧ガス管７とを連通もしくは遮断することができる。
【００４１】
また、本実施形態によれば、第１室外ユニット２は、第１圧縮機２０と第１室外熱交換器２１、２１との間に第２四方弁２４を備え、この第２四方弁２４及び第１圧縮機２０の間から分岐した冷媒吐出分岐管２５Ａに第１四方弁６０、ユニット内高圧ガス管６１を介して高圧ガス管７を接続し、当該第２四方弁２４及び第１圧縮機２０の間から分岐した冷媒吸込分岐管２８Ａに低圧ガス管６を接続し、第２四方弁２４は、第１切替位置で低圧ガス管６と第１室外熱交換器２１とを連通し、第２切替位置で第１圧縮機２０と第１室外熱交換器２１とを連通するため、３本のユニット間配管５に接続される第１室外ユニット２を、圧縮機、四方弁及び室外熱交換器を有する、いわゆる２本配管式の既存の室外ユニットの配管構成を一部変更するだけで構築することができ、３本配管式の室外ユニットを独自に開発する場合に比べて生産コストの低減化を図ることができる。
また、いわゆる２本配管式の室外ユニットをベースとして、第１室外ユニット２が構成されるため、この第１室外ユニット２を、従来の３本配管式の室外ユニットに比べて、装置のコンパクト化の実現を図ることができる。
【００４２】
また、本実施形態によれば、弁体キット５０は、単一の第３四方弁５１を備え、この第３四方弁５１の第１ポートＡにガス管３５を接続し、第２ポートＢに低圧ガス管６を接続し、第３ポートＣに高圧ガス管７を接続し、第４ポートＤにキャピラリチューブ５３を介して低圧ガス管６を接続したため、第３四方弁５１を介在させるといった簡単な構成で、第２室外ユニット３のガス管３５をユニット間配管５の高圧ガス管７または低圧ガス管６に択一的に接続することができ、いわゆる２本配管式の室外ユニットで構成された第２室外ユニット３を３本配管式の空気調和装置１に接続することができる。
【００４３】
本実施形態によれば、弁体キット５０は、第２室外ユニット３の第２ユニットケース３４の外側に設けられたため、第２室外ユニット３として、既存の２本配管式の室外ユニットを配管構成を変更することなく、そのまま流用することができ、３本配管式の空気調和装置１の構成を簡素化することができる。
【００４４】
また、本実施形態によれば、第１圧縮機２０の能力は、空気調和装置１が備える全圧縮機の少なくとも半分の能力を備えて構成されているため、冷暖混在運転中の冷房負荷及び暖房負荷が５０％：５０％の負荷バランスの場合には、第１圧縮機２０を備える第１室外ユニット２を用いて空調運転を行うことができ、冷房負荷または暖房負荷が増加して負荷バランスが変更された場合には、冷房負荷または暖房負荷の余剰負荷を第２室外ユニット３が受け持つことができる。このため、冷暖混在運転中の冷房負荷及び暖房負荷の負荷バランスがどのように変化しても当該負荷バランスでの空調運転を実現することができる。
【００４５】
以上、本発明を上記実施の形態に基づいて説明したが、本発明はこれに限定されるものではない。例えば、本実施形態では、第１圧縮機２０の冷媒吐出管２５と高圧ガス管６とを連通可能とする弁体として第１四方弁６０を備える構成としたが、これに限るものではなく、第１四方弁６０に変えて電磁開閉弁を設ける構成としてもよい。
また、弁体キット５０は、流路切替弁として第３四方弁５１を設ける構成としているが、これに限るものではなく、電磁開閉弁を複数組み合わせて構成しても良い。
【符号の説明】
【００４６】
１  空気調和装置
２  第１室外ユニット
３  第２室外ユニット
４Ａ〜４Ｄ  室内ユニット
５  ユニット間配管
６  低圧ガス管
７  高圧ガス管
８  液管
２０  第１圧縮機
２１  第１室外熱交換器
２２  第１膨張弁（第１室外膨張弁）
２４  第２四方弁
２５  冷媒吐出管
２５Ａ  冷媒吐出分岐管
２６  ユニット内ガス管
２６Ａ  ユニット内分岐ガス管
２８  冷媒吸込管
２８Ａ  冷媒吸込分岐管
３０  第２圧縮機
３１  四方弁
３２  第２室外熱交換器
３３  第２膨張弁（第２室外膨張弁）
３５  ガス管
３６  液管
４６、５３、６２、６３  キャピラリチューブ
５０  弁体キット
５１  第３四方弁（流路切替弁）
５２  ケース体
６０  第１四方弁
６１  ユニット内高圧ガス管
【図１】
2011047620.tif 000003
【図２】
2011047620.tif 000004
【図３】
2011047620.tif 000005
【図４】
2011047620.tif 000006